(57)【特許請求の範囲】
【請求項１】
冷凍室（８）の後方側壁面に装着されて冷凍サイクルの蒸発器を通過しながら冷却された空気を強制循環させる送風ファン（２０）と、
前記冷凍室と冷蔵室とを区画する隔壁に穿孔形成されて、前記送風ファンから送風される冷気を前記冷蔵室に供給するために、前記送風ファンにより送風される冷気を前記冷凍室の内部に吐出させるための吐出口が穿孔形成された側板により形成される冷気通路に連通する冷気供給通路（２６）と、
前記冷気供給通路（２６）から水平方向に分岐されて冷気を後方側吐出ダクトに案内する後方側案内通路（２８）と、
前記冷気供給通路から垂直方向に分岐されて冷気を右側吐出ダクトに案内する右側案内通路（３０）と、
前記右側案内通路と前記後方案内通路との交差点に近接した地点から前記隔壁の左側方向に分岐されて前記右側案内通路に供給される冷気量と同じ量の冷気を左側吐出ダクトに案内する左側案内通路（３２）と、を包含して構成されることを特徴とする冷蔵庫の冷気供給装置。
【請求項２】
前記冷気供給通路は、前記隔壁の右側後面に形成され、前記後方側案内通路（２８）は、前記冷気供給通路から水平方向に分岐されて、前記供給通路（２６）から供給される冷気量中、１／２に該当する冷気を後方吐出ダクトに案内することを特徴とする請求項１記載の冷蔵庫の冷気供給装置。
【請求項３】
前記後方案内通路に設置され、冷蔵室ドアーの開閉時によって前記後方側案内通路（２８）を開閉させる制御手段を更に包含することを特徴とする請求項１記載の冷蔵庫の冷気供給装置。
【請求項４】
前記制御手段は、前記後方側案内通路（２８）の一方側に揺動自在に装着されて後方側案内通路を開閉させる開閉バルブと、
前記冷蔵室の内部に装着されて冷蔵室ドアーの開閉状態を検出する感知手段（６２）と、
前記感知手段（６２）から印加される電気信号によって前記後方側案内通路を閉鎖するように開閉バルブを所定時間の間、作動させるコントロールユニット（６４）と、を包含して構成されることを特徴とする請求項３記載の冷蔵庫の冷気供給装置。
【請求項５】
前記開閉バルブは、前記後方側案内通路（２８）に揺動自在に装着されて、後方側案内通路の内径と同様な径を有する円板状のバルブ板（６６）と、
該バルブ板のヒンジ軸に連結されて前記制御部の電気信号によってバルブ板を揺動させるステッピングモーター（６８）と、を包含して構成されることを特徴とする請求項４記載の冷蔵庫の冷気供給装置。
【請求項６】
前記感知手段（６２）は、前記冷蔵室のドアーが軸支される冷蔵庫の開放された側壁面に装着されて、ドアーの開放時にそれを感知して前記制御手段のコントロールユニット（６４）に伝達するスイッチ型に構成されることを特徴とする請求項４記載の冷蔵庫の冷気供給装置。
【請求項７】
前記コントロールユニット（６４）は、前記感知手段（６２）から電気信号が印加されると、前記開閉バルブの作動時間を所定時間の間、遅延させるタイマーが内蔵されることを特徴とする請求項４記載の冷蔵庫の冷気供給装置。
【請求項８】
前記冷蔵庫の内部に設置され、前記冷蔵室内部の各部位ごとに温度を検出する感知手段と、前記後方側案内通路（２８）に装着されて該後方側案内通路を開閉させる第１バルブ（７０）と、前記右側及び左側案内通路が分岐される地点に設置されてそれら右側及び左側案内通路を選択的に開放する第２バルブ（７２）と、前記感知手段から印加される電気信号によって第１及び第２バルブを動作させるコントロールユニット（７４）と、を包含して構成されることを特徴とする請求項１記載の冷蔵庫の冷気供給装置。
【請求項９】
前記感知手段は、前記冷蔵室の後方側に設置されて冷蔵室の後方側温度を検出する第１温度センサー（７６）と、冷蔵室の左側に装着されて該左側の温度を検出する第２温度センサー（７８）と、冷蔵室の右側に装着されて右側の温度を検出する第３温度センサー（８０）と、から構成されることを特徴とする請求項８記載の冷蔵庫の冷気供給装置。
【請求項１０】
前記第１バルブ（７０）は、前記後方側案内通路（２８）の直径と同様な径を有する円板状に形成されて前記後方側案内通路（２８）に揺動自在に装着されるバルブ板（８２）と、該バルブ板のヒンジ軸に軸支されて該バルブ板を揺動させるステッピングモータ（８４）と、を包含して構成されることを特徴とする請求項８記載の冷蔵庫の冷気供給装置。
【請求項１１】
前記第２バルブ（７２）は、前記右側案内通路（３０）から左側案内通路（３２）が分岐される地点に揺動自在に装着されて、それら左、右案内通路を全て開放、又は左側案内通路のみを開放、若しくは右側案内通路のみを開放してその他は閉鎖させるという三つの方向に動作されるバルブ板（９０）と、該バルブ板のヒンジ軸に軸支されたステッピングモーター（９２）と、を包含して構成されることを特徴とする請求項８記載の冷蔵庫の冷気供給装置。
【請求項１２】
前記バルブ板（９０）は、円板状に形成されることを特徴とする請求項１０又は１１記載の冷蔵庫の冷気供給装置。
【発明の詳細な説明】
【０００１】
【発明の属する技術分野】
本発明は、冷蔵庫の冷気供給装置に係るもので、詳しくは、冷蔵庫内部の冷気の分布を均一に維持し得るようし、冷蔵庫の内部で発生する負荷に従って、該負荷の発生部位を集中的に冷却することで、冷却効率を向上し得る冷蔵庫の冷気供給装置に関するものである。
【０００２】
【従来の技術】
一般に、冷蔵庫は、氷を造るための製氷用器、冷凍食品を保管する冷凍室及び冷蔵用食品を保管する冷蔵室が夫々区画して構成され、このように構成された冷蔵庫の内部には冷気を供給するための冷凍サイクルが装着されている。
【０００３】
そして、従来の冷蔵庫の冷気供給装置においては、図１２乃至図１４に示したように、開放された前面に開放自在にドアー１０３がヒンジ軸支された冷蔵庫本体１０２と、該冷蔵庫本体の上部に形成されて冷凍用食品を収納する冷凍室１０４と、該冷凍室１０４の下面に後述する冷蔵室１０６と冷凍室１０４とを区画するため横手方向に敷設された隔壁１０８と、該隔壁１０８の下方に形成されて冷蔵用食器を収納する冷蔵室１０６と、前記本体１０２の上部に装着されて空気を冷却させる冷凍サイクル（図示されず）と、該冷凍サイクルにより冷却された冷気を冷蔵室１０６に供給する冷気供給装置と、を備え、前記冷蔵室１０６の内部には複数の冷蔵用食器を収納するための棚１１０が所定間隔を有して夫々横手方向に敷設され、それら棚の下方には野菜を収納するための野菜箱１１２が収納されるように構成されていた。
【０００４】
又、前記冷気供給装置においては、前記冷凍室１０４の後方側壁に装着されて冷凍サイクルの蒸発器１１４を通過した冷気を冷凍室１０４及び冷蔵室１０６に循環させる送風ファン１１６と、該送風ファン１１６により送風される冷気を冷凍室１０４に吐出させる複数の吐出口１２０が穿孔形成されて冷凍室１０４内部の側壁の前方に所定間隔を有して垂設された側板１１８と、前記隔壁１０８の内部に穿孔形成されて前記送風ファン１１６から送風される冷気を冷蔵室１０６に供給する供給通路１２２と、該供給通路１２２から分岐して冷蔵室１０６の後方側壁面を沿って延長形成されることで、冷気を案内する後方案内通路１２４と、前記供給通路１２２から冷蔵室１０６の内部右側壁を沿って延長されることで冷気を案内する右側案内通路１２６と、前記供給通路１２２から分岐されて冷蔵室１０６の左側に延長形成され先方端に後述する左側吐出ダクト１３４が連結される左側案内通路１２８と、前記後方案内通路１２４及び右側案内通路１２６の先方端に夫々連結されて冷蔵室１０６の後方側及び右側に夫々冷気を吐出する後方側吐出ダクト１３０及び右側吐出ダクト１３２と、を備えて構成されていた。
【０００５】
且つ、前記後方側吐出ダクト１３０、右側吐出ダクト１３２及び左側吐出ダクト１３４は夫々冷蔵室１０６の内部下面まで夫々長く延長形成されて、その側面には所定間隔を有して冷気を吐出する複数の冷気吐出口１４０、１４２、１４４が夫々穿孔形成されていた。
又、前記隔壁１０８の下面の一方側には冷蔵室１０６の冷却を終了した冷気が冷凍サイクルに吸入される吸入通路１５０、１５２が夫々穿孔形成されていた。
以下、このように構成された従来冷蔵庫の冷気供給装置の動作に対し図面に基づいて説明する。
【０００６】
前記冷気が供給される供給通路１２２から総供給冷気量の約１／２に該当する量は右側案内通路１２６を通って右側吐出ダクト１３２に流入され、残りの１／２に該当する冷気の量は後方案内通路１２４を通って後方側吐出ダクト１３０と、左側案内通路１２８を通って左側吐出ダクト１３４とに夫々分岐して流入されて、それら右側吐出ダクト１３２、後方側吐出ダクト１３０及び左側吐出ダクト１３４の各吐出口１４０、１４２、１４４から夫々吐出して冷蔵室１０６の内部の各棚１１０上の食品を冷却させた後、隔壁１０８の冷気流入通路１５０、１５２を夫々通って冷凍サイクルの蒸発器１１４に帰還されて冷却されるようになっていた。
【０００７】
【発明が解決しようとする課題】
然るに、このように構成された従来の冷蔵庫の冷気供給装置においては、冷蔵室内部の後方側壁と左右両方側壁との三方側壁に夫々後方側吐出ダクト、右側吐出ダクト及び左側吐出ダクトが夫々形成されて、それら各吐出ダクトから冷気が貯蔵室の内部に吐出されるが、それら吐出量が夫々相異しているため、冷気吐出量の偏差によって冷蔵室内の温度分布が不均一になって食品の冷却効率が低下されるという不都合な点があった。
【０００８】
又、冷蔵室内の任意の一部位から冷蔵用食品を収納／取り出す場合は、負荷が発生するが、該負荷に迅速に対応することなく、常に、一定な冷気を三方側から夫々吐出するようになっているため、負荷に迅速に対応し得ずに、エネルギーが消耗されるという不都合な点があった。
【０００９】
【課題を解決するための手段】
本発明は、このような従来の課題に鑑みてなされたもので、第１目的は、冷蔵室の内部の後方及び左右両方側の三方側壁の冷気吐出ダクトから均一な量の冷気を夫々吐出して冷蔵効率を向上し得る冷蔵庫の冷気供給装置を提供しようとするものである。
【００１０】
又、本発明の第２目的は、冷蔵室の内部棚上に食品を収納又は取り出すことによって、部分的の負荷が発生するとき、該負荷の発生部位に集中的に冷気を供給することで冷蔵室内の温度分布を均一に維持し得る冷蔵庫の冷気供給装置を提供しようとするものである。
又、本発明の第３目的は、冷凍室の設定位置に従って、供給される冷気量を調節することで、冷蔵庫の冷気効率を向上し得る冷蔵庫の冷気供給装置を提供しようとする。
【００１１】
請求項１に記載の本発明は、冷凍室（８）の後方側壁面に装着されて冷凍サイクルの蒸発器を通過しながら冷却された空気を強制循環させる送風ファン（２０）と、前記冷凍室と冷蔵室とを区画する隔壁に穿孔形成されて、前記送風ファンから送風される冷気を前記冷蔵室に供給するために、前記送風ファンにより送風される冷気を前記冷凍室の内部に吐出させるための吐出口が穿孔形成された側板により形成される冷気通路に連通する冷気供給通路（２６）と、前記冷気供給通路（２６）から水平方向に分岐されて冷気を後方側吐出ダクトに案内する後方側案内通路（２８）と、前記冷気供給通路から垂直方向に分岐されて冷気を右側吐出ダクトに案内する右側案内通路（３０）と、前記右側案内通路と前記後方案内通路との交差点に近接した地点から前記隔壁の左側方向に分岐されて前記右側案内通路に供給される冷気量と同じ量の冷気を左側吐出ダクトに案内する左側案内通路（３２）と、を包含して構成されることを特徴とする冷蔵庫の冷気供給装置を要旨とする。
【００１２】
上記目的を達成するため本発明の請求項３〜８記載の冷蔵庫の冷気供給装置においては、前記後方側案内通路に、冷蔵室ドアーが開放されたとき、前記後方側案内通路を開閉させる制御手段を装着するが、該制御手段は、前記後方側案内通路の一方側に揺動自在に装着されて該後方側案内通路を開閉させる開閉手段と、前記冷蔵室ドアーに装着されて該ドアーの開閉状態を検出する感知手段と、該感知手段から印加される電気的信号によって、前記開閉手段を駆動させるコントロールユニットと、から構成されることを特徴とする。
【００１３】
更に、上記目的を達成するため、本発明の請求項９〜１２記載の冷蔵庫の冷気供給装置においては、前記後方側案内通路に装着されて該後方側案内通路を開閉させる第１バルブと、右側及び左側案内通路が分岐される地点に装着されてそれら右側及び左側案内通路を選択的に開閉させる第２バルブと、後述する感知手段から印加される電気的信号によって前記第１バルブ及び第２バルブを動作させるコントロールユニットを備えて制御手段が構成され、前記感知手段として、冷蔵室の後方側の温度を感知する第１温度センサーと、冷蔵室のドアーの左側に装着された第２温度センサーと、冷蔵室の右側に装着された第３温度センサーとが備えられて構成されることを特徴とする。
【００１４】
【発明の実施の形態】
以下、本発明の実施の形態に対し、図面を用いて説明する。
本発明に係る冷蔵庫の冷気供給装置の第１実施形態においては、図１乃至図３に示したように、開放された側面の両方側壁面の上下両方に夫々開閉自在に冷凍室ドアー２及び冷蔵室ドアー４が軸支された冷蔵庫本体６と、該本体６の中間に隔壁１２が設置されることで上方に区画形成された冷凍室８と、前記隔壁１２の下方に区画形成された冷蔵室１０と、前記本体６の上部に装着されて空気を冷却させる冷凍サイクル（図示されず）と、該冷凍サイクルを通過しながら冷却された冷気を前記冷凍室８及び冷蔵室１０に夫々供給する冷気供給装置と、から構成されている。
且つ、前記冷凍室８及び冷蔵室１０の内部には、夫々食品を収納して冷凍及び冷蔵する複数の棚１４、１６が夫々係止される。
【００１５】
又、前記冷却供給装置においては、前記冷凍室８の側壁面に装着されて冷凍サイクルの蒸発器を通過しながら冷却された冷気を強制的に循環させる送風ファン２０と、該送風ファン２０により送風される冷気を冷凍室８の内部に吐出させる吐出口２２が穿孔形成された側板２４と、該側板２４により形成される冷気流路に連通して前記隔壁１２に切削形成されて冷気を冷蔵室１０の３方向に夫々案内する後方側案内通路２８に連結されて冷蔵室１０の後方側壁を沿って下方向に延長して側板により包囲形成された後方側吐出ダクト３４と、前記右側案内通路３０に連結されて冷蔵室１０の右側壁を沿って下方向に延長して側板により包囲形成された右側吐出ダクト３６と、前記左側案内通路３２に連結されて冷蔵室１０の左側壁を沿って下方向に延長して側板により包囲形成された左側吐出ダクト３８と、それら後、右、左側吐出ダクト３４、３６、３８に夫々所定間隔を有して穿孔形成されることで冷気を冷蔵室１０内に吐出させる各吐出口４６、５０、５４と、前記隔壁１２の上下両面に夫々穿孔形成されることで冷気作用が終了された冷気が冷凍サイクル側に流入される冷気吸入口４２、４４と、から構成されている。
【００１６】
又、前記各後、右、左案内通路２８、３０、３２の形成構造においては、前記冷気の供給通路２６を基準にして、前記後方側案内通路２８と右側案内通路３０とは直角を有するように形成し、該右側案内通路３０と前記後方側案内通路２８との交差点に近接した支点から前記左側側案内流路３２を冷蔵庫の左側壁面上に至るようにして、それら後方側案内通路２８及び右側案内通路３０の内径を同様に形成することで、前記基準の供給通路２６に流入された流量の１／２が後方側案内通路２８に流入され、残りの１／２の流量は、右側案内通路３０の基端に流入された後、再び分割されて１／２の半分である１／４ずつ右側案内通路３０と左側案内通路３２とに夫々流入されることで、冷蔵室１０の左右両方側から夫々同様な冷気が吐出されるように構成されている。
【００１７】
以下、このように構成された本発明に係る冷蔵庫の冷気供給装置の第１実施形態の動作に対し、説明する。
電源が印加して、送風ファン２０が駆動すると、冷凍サイクルの蒸発器４０から冷却された空気が冷凍室８に吐出されて冷却作用が進行される一方、供給通路２６に供給される冷気は該供給通路２６に供給された冷気総量の１／２が後方側案内通路２８に流入された後、後方側吐出ダクト３４を通って各吐出口５４から冷蔵室１０の内部に吐出され、残りの冷気総量の１／２は該１／２の半分である総量の１／４ずつ分割されて左右側案内通路３０、３２を夫々通った後、左右側吐出ダクト３６、３８を通って各吐出口４６、５０から夫々冷蔵室１０の内部に吐出される。次いで、前記冷気吸入口４４に流入されて冷凍サイクル側に流入される。
【００１８】
そして、本発明の冷蔵庫の冷気供給装置の第２実施形態として、次のように構成することもできる。
即ち、図４及び図５に示したように、前記後方側案内通路２８に、冷蔵室ドアー４が開閉されたとき、前記後方側案内通路２８を開閉させる制御手段を装着し、その他は前記第１実施形態と同様に構成することもできる。
即ち、前記制御手段においては、前記後方側案内通路２８の一方側に揺動自在に装着されて該後方側案内通路２８を開閉させる開閉手段６０と、前記冷蔵室ドアー４に装着されて該ドアーの開閉状態を検出する感知手段６２と、該感知手段６２から印加される電気的信号によって前記開閉手段６０を駆動させるコントロールユニット６４と、を包含して構成されている。
【００１９】
且つ、前記開閉手段６０においては、前記後方側案内通路２８の内径と同様な径を有する円板状に形成されて該後方側案内通路２８の一方側に揺動自在に装着されるバルブ板６６と、該バルブ板６６の軸に軸支されて該バルブ板６６を揺動させるステッピングモータ６８とを備えて構成されている。
又、前記感知手段６２においては、前記冷蔵室１０の側壁前方部位に装着されて冷蔵室ドアー４が開放されると“オン”になり、冷蔵室ドアー４が閉じられると“オフ”になる電気的信号を前記コントロールユニット６４に印加するスイッチタイプに構成されている。
又、前記コントロールユニット６４は、前記開閉手段６０が動作された後、所定時間経過したとき、前記開閉バルブ板６６がオフされるタイマーを包含して構成されている。
【００２０】
このように構成された本発明に係る第２実施形態の開閉手段の動作においては、冷却動作中、冷蔵室ドアー４が開放されると、感知手段６２により冷蔵室１０の開放状態が検出されて、電気的信号がコントロールユニット６４に印加され、該コントロールユニット６４によりステッピングモータ６８が稼動して開閉バルブ板６６が揺動され、後方側案内通路２８が閉鎖されることで、後方側吐出ダクト３４に流入される冷気の流入が遮断される。
【００２１】
従って、前記供給通路２６に供給される冷気は、右側及び左側案内通路３０、３２に夫々１／２ずつ分配して流入され、右側及び左側吐出ダクト３６、３８を通って冷蔵室１０の左右両方側から吐出される。
その後、所定時間が経過すると、前記コントロールユニット６４は、前記ステッピングモータ６８に印加される電源を遮断して、前記後方側案内通路２８を閉鎖している開閉バルブ板６６を原位置に復帰させ、冷蔵室１０の後方側通路から冷気が吐出される。
【００２２】
このように、冷蔵室ドアー４が開放されるときは、左右両方側吐出ダクト３６、３８から冷蔵室のドアー４の近接部位に集中的に冷気を吐出することで、冷蔵室ドアー４に近接した部位の食品を迅速に冷却するため、ドアー４の頻繁な開閉に従って冷蔵室の温度が上昇することが防止される。
【００２３】
又、本発明に係る冷蔵庫の冷気供給装置の第３実施形態として、図６及び図７に示したように、前記後方側案内流路２８に装着されて該後方側案内流路２８を開閉させる第１バルブ７０と、前記右側及び左側案内通路３０、３２が分岐される地点に装着されてそれら右側及び左側案内通路３０、３２を選択的に開閉させる第２バルブ７２と、後述する感知手段の各温度センサーから印加される電気的信号によって前記第１バルブ７０及び第２バルブ７２を動作させるコントロールユニット７４と、を備えて冷気制御手段が構成される。
【００２４】
且つ、前記感知手段においては、図８に示したように、冷蔵室の後方側に装着されて冷蔵室１０の後方側の温度を感知する第１温度センサー７６と、冷蔵室ドアー４の左側に装着されて冷蔵室の左側温度を感知する第２温度センサー７８と、冷蔵室ドアー４の右側に装着されて冷蔵室の右側温度を感知する第３温度センサー８０とから構成されて、その他は第１実施形態と同様に構成して使用することもできる。
【００２５】
且つ、前記第１バルブ７０は、図９に示したように、後方側案内通路２８の内径と同様な径を有する円板状に形成されて後方側案内通路２８に揺動自在に装着されるバルブ板８２と、該バルブ板８２の揺動軸に連結されてバルブ板８２を揺動させるステッピングモータ８４とから構成されることで、図７のコントロールユニット７４からステッピングモータ８４に電源が印加されると、第１バルブ７０のバルブ板８２が後方側案内通路２８を閉鎖させる方向に揺動し、ステッピングモータ８４の電源が遮断されると、バルブ板８２は後方側案内通路２８を開放する方向に復帰されるようになっている。
【００２６】
又、前記第２バルブ７２は、前記供給通路２６から右側案内通路３０及び左側案内通路３２に夫々分岐される地点に揺動自在に装着されて、三方向に揺動されるバルブ板９０と、該バルブ板９０のヒンジ軸に軸支されて該バルブ板９０を揺動させるステッピングモータ９２とから構成されることで、前記供給通路２６から右側案内通路３０及び左側案内通路３２に夫々冷気が供給されるように右側案内通路３０及び左側案内通路３２を全て開放させる第１位置と、右側案内通路３０を閉鎖して冷気が左側案内通路３２に供給されるようにする第２位置と、前記左側通路３２を閉鎖して冷気が左側案内通路３０に供給されるようにする第３位置とに夫々動作するようになっている。
【００２７】
以下、このように構成された本発明の冷蔵庫の冷気供給装置の第３実施形態の動作に対し説明する。
先ず、図６に示したように、正常の状態では、第１バルブ７０が後方側案内通路２８を開放させ、第２バルブ７２は前記第１位置に動作して右側及び左側案内通路３０、３２を全て開放させることで、供給通路２６から供給される冷気は後方側案内通路２８を通って後方側吐出ダクト３４に供給されて冷蔵室１０の後方から冷気が吐出され、左側案内通路３２を通って左側吐出ダクト３８に供給されて冷蔵室１０の左側から冷気が吐出され、右側案内通路３０を通って右側吐出ダクト３６に供給されて冷蔵室１０の右側から冷気が吐出されるという通常の冷気循環が行われる。このような正常動作中、若し、冷蔵室のドアー４が開放されることで、ドアー４附近の温度が上昇すると、図７及び図９に示したように、第２及び第３温度センサー７８、８０から図７のコントロールユニット７４に電気的信号が印加し、コントロールユニット７４により第１ブルブ７０のステッピングモータ８４が駆動されてバルブ板８２が後方側案内通路２８を閉鎖させる。
【００２８】
従って、冷気は右側及び左側案内通路３０、３２のみを通って右側吐出ダクト３６及び左側吐出ダクト３８に流入され、冷蔵室１０内の左右両方側から中心的に冷気が吐出されることで、ドアー４附近の上昇された温度を迅速に低下して、冷蔵室１０内の温度を均一に維持させる。
【００２９】
又、若し、冷蔵室１０内の左側に負荷が発生して温度が上昇すると、図７及び図１０に示したように、冷蔵室１０内の第１、第２、第３温度センサー７６、７８、８０から印加される電気信号によってコントロールユニット７４は第１バルブ７０を動作させて、後方側案内通路２８を閉鎖し、第２バルブ７２を第２位置に動作させて右側案内通路３０を閉鎖することで、供給通路２６から供給される冷気は全て左側案内通路３２を通って左側吐出ダクト３８に集中して供給され、冷蔵室１０の内側に全て吐出されることで冷蔵室内の左側温度を迅速に低下させる。
【００３０】
同様に、冷蔵室１０の右側に負荷が発生して温度が上昇されると、図１１に示したように、第１、第２、第３温度センサー７６、７８、８０から印加される電気信号によってコントロールユニット７４が冷蔵室１０の右側温度が上昇したことを認識し、第１バルブ７０により案内流路２８を閉鎖して、第２バルブ７２を第３位置に動作させて左側案内通路３２を閉鎖することで、供給通路２６から供給される冷気を全て案内通路を通って右側吐出ダクト３６に供給させ、冷蔵室の右側から集中的に冷気を吐出することで、右側の上昇温度を迅速に低下させる。
【００３１】
【発明の効果】
以上説明したように、本発明に係る冷蔵庫の冷気供給装置においては、冷凍サイクルを通って冷却された後、冷蔵室の内部に供給される冷気の総量中、１／２は冷蔵室の後方側壁を沿って流入させて吐出させ、残量１／２の半分の１／４ずつ冷蔵室の左右両方側壁を沿って流入させて、吐出させるように構成されているため、冷蔵室内の冷気の分布を均一に維持することで、冷蔵効率を向上し得るという効果がある。
又、冷蔵室の内部に食品の収納／取り出しにより負荷が発生すると、その負荷の発生部位に集中的に冷気を吐出させることで、迅速的な冷却作用を施して冷却効率を向上し得るという効果がある。
【図面の簡単な説明】
【図１】本発明に係る冷蔵庫の冷気供給装置の第１実施形態を示した側断面図である。
【図２】図１のＣ−Ｃ線縦断面図である。
【図３】図１のＤ−Ｄ線断面図である。
【図４】本発明に係る冷蔵庫の冷気供給装置の第２実施形態を示したＤ−Ｄ縦断面図である。
【図５】本発明に係る冷蔵庫の冷気供給装置の第２実施形態の制御手段のブロック図である。
【図６】本発明に係る第３実施形態の開閉手段の装着状態を示した平面図である。
【図７】本発明に係る冷蔵庫の冷気供給装置の第３実施形態の制御手段を示したブロック図である。
【図８】本発明に係る第３実施形態の感知手段の装着位置を示した説明図である。
【図９】本発明に係る第３実施形態の制御手段の第２バルブが開放された状態を示した説明図である。
【図１０】本発明に係る第３実施形態の制御手段の第２バルブが右側案内通路を閉鎖させた状態を示した説明図である。
【図１１】本発明に係る第３実施形態の制御手段の第２バルブが左側案内通路を閉鎖させた状態を示した説明図である。
【図１２】従来の冷蔵庫の冷気供給装置を示した側断面図である。
【図１３】従来の冷蔵庫の冷気供給装置を示した縦断面図である。
【図１４】従来の冷蔵庫の冷気供給装置の冷気通路を示した図１２のＢ−Ｂ線断面図である。
【符号の説明】
２…冷凍室ドアー
４…冷蔵室ドアー
６…本体
８…冷凍室
１０…冷蔵室
１２…隔壁
１４、１６…棚
１８…野菜箱
２０…送風ファン
２２、４６、５０、５４…吐出口
２４…側板
２６…供給通路
２８…後方側案内通路
３０…右側案内通路
３２…左側案内通路
３４…後方側吐出ダクト
３６…右側吐出ダクト
３８…左側吐出ダクト
４０…蒸発器
４２、４４…冷気吸入口
６０…開閉手段
６２…感知手段
６４、７４…コントロールユニット
６６、８２、９０…バルブ板
６８、８４、９２…ステッピング  モータ
７０…第１バルブ
７２…第２バルブ
７６…第１温度センサ
７８…第２温度センサ
８０…第３温度センサ
【図１】
0003756821.tif 000002
【図２】
0003756821.tif 000003
【図３】
0003756821.tif 000004
【図４】
0003756821.tif 000005
【図５】
0003756821.tif 000006
【図６】
0003756821.tif 000007
【図７】
0003756821.tif 000008
【図８】
0003756821.tif 000009
【図９】
0003756821.tif 000010
【図１０】
0003756821.tif 000011
【図１１】
0003756821.tif 000012
【図１２】
0003756821.tif 000013
【図１３】
0003756821.tif 000014
【図１４】
0003756821.tif 000015